(57)【要約】【課題】素足で履くフットカバーにおいて、縫い目があるために歩行時やパンプスの脱ぎ履き時にフットカバーが脱げてしまったり履き位置がずれてしまったり、縫い目があるために履きにくかったり履き心地が悪かったりする。【解決手段】このフットカバー１００は、爪先と踵を含む足底とを被覆するとともに足首および少なくとも足甲の一部を露出するフットカバーであって、側辺部と爪先部とを形成する第１の伸縮性編地１２０と、第１の伸縮性編地により形成されなかった踵部を形成する第２の伸縮性編地１４０と、足底部１０６を形成する第３の伸縮性編地１６０と、を１本の底接着テープ１０８および左右それぞれ１本ずつの合計２本の側辺接着テープ１１０で接合することにより縫い目を備えないで立体的な形状に形成されている。【選択図】図１
2020172712.tif 000002
【特許請求の範囲】
【請求項１】
爪先と踵を含む足底とを被覆するとともに足首および少なくとも足甲の一部を露出するフットカバーであって、足底部、側辺部、踵部および爪先部で形成され、
前記側辺部と前記爪先部および前記踵部のいずれかとを形成する第１の伸縮性編地と、前記第１の伸縮性編地により形成されなかった前記爪先部および前記踵部のいずれかを形成する第２の伸縮性編地と、前記足底部を形成する第３の伸縮性編地と、を接着テープで接合することにより縫い目を備えないで立体的な形状に形成されていることを特徴とするフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、履きやすく履き心地がよく、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
ここで、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
特に、従来のフットカバーにおいて、足底部と踵部とを別々の生地で構成してそれらの生地が縫製されている場合、縫い目が足裏または踵に引っ掛かってしまうことがあり、歩行時やパンプスの脱ぎ履き時にフットカバーが脱げてしまったり履き位置がずれてしまったり、縫い目があるために履きにくかったり履き心地が悪かったりする問題がある。
本発明は、従来技術の上述の問題点に鑑みて開発されたものであり、その目的とするところは、縫い目があるために歩行時やパンプスの脱ぎ履き時にフットカバーが脱げてしま
ったり履き位置がずれてしまったりすることがなく、縫い目があるために履きにくかったり履き心地が悪かったりすることがないフットカバーを提供することを目的とする。
【課題を解決するための手段】
【０００８】
上記目的を達成するため、本発明に係るフットカバーは以下の技術的手段を講じている。
すなわち、本発明に係るフットカバーは、爪先と踵を含む足底とを被覆するとともに足首および少なくとも足甲の一部を露出するフットカバーであって、足底部、側辺部、踵部および爪先部で形成され、前記側辺部と前記爪先部および前記踵部のいずれかとを形成する第１の伸縮性編地と、前記第１の伸縮性編地により形成されなかった前記爪先部および前記踵部のいずれかを形成する第２の伸縮性編地と、前記足底部を形成する第３の伸縮性編地と、を接着テープで接合することにより縫い目を備えないで立体的な形状に形成されていることを特徴とする。
【０００９】
好ましくは、前記第１の伸縮性編地、前記第２の伸縮性編地および前記第３の伸縮性編地は、それぞれ、所定の周縁形状を備えた平面状編地であって、前記第３の伸縮性編地の全周縁と、前記第１の伸縮性編地の周縁の一部および前記第２の伸縮性編地の周縁の一部とを、接着テープで接合することにより形成されているように構成することができる。
さらに好ましくは、前記第３の伸縮性編地の全周縁は、１本の接着テープで接合することにより形成されているように構成することができる。
【発明の効果】
【００１０】
本発明のフットカバーによれば、縫い目があるために歩行時やパンプスの脱ぎ履き時にフットカバーが脱げてしまったり履き位置がずれてしまったりすることがないようにすることができ、かつ、縫い目があるために履きにくかったり履き心地が悪かったりすることがないようにすることができる。
【図面の簡単な説明】
【００１１】
【図１】本発明の実施の形態に係るフットカバー１００の全体斜視図である。
【図２】図１のフットカバー１００の（Ａ）左側面図であって、（Ｂ）右側面図である。
【図３】図１のフットカバー１００の（Ａ）正面図であって、（Ｂ）背面図である。
【図４】図１のフットカバー１００の展開図である。
【図５】本発明の実施の形態の変形例に係るフットカバー２００の平面図である。
【発明を実施するための形態】
【００１２】
以下、本発明の実施の形態に係るフットカバーを、図面に基づき詳しく説明する。ここで、フットカバーの構造には様々なものがあり、本発明は特定の構造に限定されるものではなく、後述する特徴を備えたものであれば、どのようなフットカバーの構造であっても、フットカバーを構成する生地（生地の中でもフットカバーに好適である生地は代表的には以下に記載する編地であるが以下において生地と編地とを区別しない場合がある）の種類、生地の型紙およびその生地の接合方法がどのようなものであっても基本的には構わない。そのため、以下に示すフットカバーの構造自体は単なる例示でしかない。
【００１３】
なお、このフットカバーを形成する生地は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でフットカバーに好ましい。
【００１４】
また、このフットカバーを形成する生地は、その生地の切断面（端面）は無縫製で端部処理されていない切りっぱなし生地を採用することが好ましい。このような切りっぱなし生地を採用すると、後述する開口部の上端が無縫製で端部処理されていない端面を形成す
ることができるので、履き心地が好ましい。
さらに、本実施の形態に係るフットカバーは、爪先と踵を含む足底とを被覆するとともに足首および少なくとも足甲の一部を露出するフットカバーであって、足底部、側辺部、踵部および爪先部で形成される。また、限定されるものではないが、以下に示すフットカバーは左右共用であって、左右共用であるために左右を履き間違いすることがない点で好ましい。なお、フットカバーが左右共用でない場合には、左足用と右足用とは左右対称の形状を備える。
【００１５】
そして、特徴的であるのは、側辺部と爪先部および踵部のいずれかとを形成する第１の伸縮性編地と、第１の伸縮性編地により形成されなかった爪先部および踵部のいずれかを形成する第２の伸縮性編地と、足底部を形成する第３の伸縮性編地と、を接着テープで接合することにより縫い目を備えないで立体的な形状に形成されている。好ましくは、第１の伸縮性編地、第２の伸縮性編地および第３の伸縮性編地は、それぞれ、所定の周縁形状を備えた平面状編地であって、第３の伸縮性編地の全周縁と、第１の伸縮性編地の周縁の一部および第２の伸縮性編地の周縁の一部とを、接着テープで接合することにより形成されている。さらに好ましくは、第３の伸縮性編地の全周縁は、１本の接着テープで接合することにより形成されている。
【００１６】
このような生地の接合については限定されるものではないが、帯状部材の一面に接着剤が塗布された接着テープであって、加熱することにより接着剤が溶融して生地を熱接着して接合するものが好ましい。なお、この接合には、熱圧着によるもの、熱溶着によるもの、熱融着によるもの等を含む。
図１に本発明の実施の形態に係るフットカバー１００の全体斜視図（ただし右足のみ）を、図２（Ａ）にこのフットカバー１００の左側面図を図２（Ｂ）にこのフットカバー１００の右側面図を、図３（Ａ）にこのフットカバー１００の正面図（爪先側から見た図）を図３（Ｂ）にこのフットカバー１００の背面図（踵側から見た図）を、図４にこのフットカバー１００の展開図（型紙）を、それぞれ示す。
【００１７】
ここで、図１、図２および図３は、着用者の足Ｆにフットカバー１００を着用している状態を想定している。すなわち、本発明の実施の形態に係るフットカバー１００は、トリコット等の伸縮性生地で形成されているために、このように想定して図示しない場合には縮んだ状態となり、形状を理解することが困難なため、上述のように想定している。
ここで、このフットカバー１００において伸縮性編地を接合する接着テープ（より詳しくは１本の底接着テープ１０８および２本の側辺接着テープ１１０）は、肌当接側の反対側である靴内面当接側（外側）に設けられているが、これに限定されるものではなく、これらの接着テープは、肌当接側（内側）に設けるようにしても構わない。これらの接着テープを、肌当接の反対側に設けると足肌に接着テープが当接しない点で好ましく、肌当接に設けるとフットカバー１００の外観に接着テープが現れない点で好ましい。
【００１８】
また、これらの図１〜図４の中において、足Ｆを出し入れする開口部の上縁の全周に亘ってフットカバー１００の内側（足Ｆが接する側：肌側）に設けられた伸縮性細幅生地１１４を図１および図４には描いているが、３枚の伸縮性編地を接着テープで接合することにより縫い目を備えないで立体的な形状に形成されているというこのフットカバー１００の特徴をより理解しやすくするために図２および図３においては伸縮性細幅生地１１４を描いていない。
【００１９】
このフットカバー１００は、着用者の足Ｆの爪先と踵を含む足底とを被覆するとともに足首および少なくとも足甲の一部を露出するフットカバーである。このフットカバー１００は、足Ｆを出し入れする後述する開口部がカットされた薄手の伸縮性編地（トリコット等の編地）で形成されている。なお、このフットカバー１００における開口部を爪先側に拡張させて、着用時にパンプス（足甲部が大きく露出する主として夏向きの婦人向けの靴）から露出することのないよう履き口である開口部が大きくカットするようにしても構わない。ここで、着用時にパンプスから露出することのないとは、フットカバー１００がパンプスに隠れて、見えなくなることも、見えにくくなることも含む。
【００２０】
フットカバー１００は、爪先部１０４Ｔ（単に爪先部１０４と記載する場合がある）、
足底部１０６（より詳しくは、爪先側足底部１０６Ｔ、側辺足底部１０６Ｓおよび踵側足底部１０６Ｈ）、側辺部１０２Ｓおよび踵部１０２Ｈで形成されている。なお、符号における添え字については、Ｔが爪先（Ｔｏｅ）、Ｓが側辺（Ｓｉｄｅ）、Ｈが踵（Ｈｅｅｌ）、Ｕが上側（Ｕｐ）、Ｄが下側（Ｄｏｗｎ）をそれぞれ示すものである。
【００２１】
そして、足を出し入れするための開口部が、足底部１０６に対して上下反対側に設けられている。この開口部の上縁の全周に亘ってフットカバー１００の内側（足Ｆが接する側：肌側）に伸縮性細幅生地１１４が設けられている。より詳しくは、この伸縮性細幅生地１１４は、爪先側伸縮性細幅生地１１４Ｔと側辺伸縮性細幅生地１１４Ｓと踵側伸縮性細幅生地１１４Ｈとで構成され、側辺伸縮性細幅生地１１４Ｓと踵側伸縮性細幅生地１１４Ｈとは一体であってこの一体の伸縮性細幅生地と爪先側伸縮性細幅生地１１４Ｔとは別体である。
【００２２】
このフットカバー１００を履くときに伸縮性細幅生地１１４を伸張させると開口部が大きく開くために履きやすく、かつ、このフットカバー１００を履いた後は伸縮性細幅生地１１４が収縮して開口部が小さくなるために歩行時にフットカバー１００が脱げることがない。なお、この開口部の上縁の全周に亘ってフットカバー１００の外側（足Ｆが接する側とは逆側：靴側）に伸縮性細幅生地１１４を設けるようにしても構わない。なお、この伸縮性細幅生地１１４は、開口部の上縁の全周ではなく上縁の一部に設けるようにしても構わないし、連続的ではなく断続的に設けるようにしても構わない。
【００２３】
さらに、このフットカバー１００の踵部１０２Ｈの上縁において、フットカバー１００の内側（足Ｆが接する側：肌側）には、シリコーン樹脂等の薄い透明のシートで形成された踵部滑り止め１１６を設けることも好ましい。従って、踵部１０２Ｈには、編地（より詳しくは第１の伸縮性編地１２０）の上側（内側：肌側）に伸縮性細幅生地１１４（より詳しくは踵側伸縮性細幅生地１１４Ｈ）が設けられ、さらにその上側（内側：肌側）に踵部滑り止め１１６が設けられている。これにより、足Ｆの踵との密着性を高めてフットカバー１００が足Ｆの踵の部分からずれることをさらに防止することができる。なお、この踵部滑り止め１１６は、本発明に係るフットカバーにおいて必須の構成ではない。
【００２４】
そして、このフットカバー１００の特徴について、さらに詳しく、図４の展開図（型紙）を参照して説明する。この図４には、第１の伸縮性編地１２０、第２の伸縮性編地１４０および第３の伸縮性編地１６０と、接着テープである１本の底接着テープ１０８および２本の側辺接着テープ１１０とを描いている。図４の紙面における表面側が肌当接面であって、第３の伸縮性編地１６０に足裏が当接する。詳しくは後述するが、この第３の伸縮性編地１６０の爪先側に第２の伸縮性編地１４０が図４の紙面表面どうしが対向（対面）するように重ねられ、この第３の伸縮性編地１６０の側部および踵側に第１の伸縮性編地１２０が図４の紙面表面どうしが対向（対面）するように重ねられて、接着テープである１本の底接着テープ１０８および２本の側辺接着テープ１１０により接合されることにより縫い目を備えないで立体的な形状に形成されている。
【００２５】
なお、フットカバー１００が立体的な形状に形成される前の平面状の編地の状態で、第１の伸縮性編地１２０において開口部の上縁の一部（爪先側以外の開口部）になる部位に伸縮性細幅生地１１４（より詳しくは、側辺伸縮性細幅生地１１４Ｓと踵側伸縮性細幅生地１１４Ｈ）が貼付等により設けられ、第２の伸縮性編地１４０において開口部の上縁の一部（爪先側の開口部）になる部位に伸縮性細幅生地１１４（より詳しくは、爪先側伸縮性細幅生地１１４Ｔ）が貼付等により設けられている。ここで、この伸縮性細幅生地１１４は、フットカバー１００が立体的な形状に形成される前の平面状の編地の状態で設けられているものに限定されるものではなく、フットカバー１００が立体的な形状に形成された後に、伸縮性細幅生地１１４を貼付等により設けるようにしても構わない。
【００２６】
この図４を参照して、このフットカバー１００を形成する３枚の伸縮性編地について説明する。側辺部１０２Ｓと爪先部１０４Ｔおよび踵部１０２Ｈのいずれか（このフットカバー１００においては爪先部１０４Ｔではなく踵部１０２Ｈであって後述する変形例に係るフットカバー２００においては踵部ではなく爪先部）とが第１の伸縮性編地１２０により構成され、第１の伸縮性編地１２０により形成されなかった爪先部１０４Ｔおよび踵部
１０２Ｈのいずれか（このフットカバー１００においては踵部１０２Ｈではなく爪先部１０４Ｔであって後述する変形例に係るフットカバー２００においては爪先部ではなく踵部）が第２の伸縮性編地１４０により構成され、足底部１０６が第３の伸縮性編地１６０により構成されている。すなわち、側辺部１０２Ｓと踵部１０２Ｈとが第１の伸縮性編地１２０により構成され、第１の伸縮性編地１２０により形成されなかった爪先部１０４Ｔが第２の伸縮性編地１４０により構成され、足底部１０６が第３の伸縮性編地１６０により構成されている（このフットカバー１００においては爪先部が側辺部から独立、変形例に係るフットカバー２００においては踵部が側辺部から独立）。これらの第１の伸縮性編地１２０、第２の伸縮性編地１４０および第３の伸縮性編地１６０は、それぞれ、所定の周縁形状を備えた平面状編地であって、特に、足底部１０６を構成する第３の伸縮性編地１６０における所定の周縁形状は、概略的には足裏形状に略等しい。
【００２７】
そして、このフットカバー１００は、第３の伸縮性編地１６０の全周縁と、第１の伸縮性編地１２０の周縁の一部および第２の伸縮性編地１４０の周縁の一部とを、接着テープで接合することにより縫い目を備えないで立体的な形状に形成されている。要するに、図４に示す開口部以外が接着テープで接合されることになる。さらに、第３の伸縮性編地１６０の全周縁は、１本の底接着テープ１０８（図４に示す底接着テープ１０８におけるテープスタート１０８Ｓからテープエンド１０８Ｅまでの１本のテープで一部が重ねられている）で、第１の伸縮性編地１２０および第２の伸縮性編地１４０と接合されている。第１の伸縮性編地１２０と第２の伸縮性編地１４０とは左右１本ずつの合計２本の側辺接着テープ１１０で互いに接合されている。
【００２８】
さらに詳しくは、
・第２の伸縮性編地１４０と第３の伸縮性編地１６０とを図４の矢示Ｘ（１）方向および矢示Ｘ（２）方向に互いにそれぞれ接近させて、
・・第２の伸縮性編地１４０の爪先部１０４Ｔの爪先上側接着線１０８ＵＴと第３の伸縮性編地１６０の爪先側足底部１０６Ｔの爪先下側接着線１０８ＤＴとを当接させて、
・第１の伸縮性編地１２０と第３の伸縮性編地１６０とを図４の矢示Ｙ（１）方向および矢示Ｙ（２）方向に互いにそれぞれ接近させて、
・・第１の伸縮性編地１２０の踵部１０２Ｈの踵上側接着線１０８ＵＨと第３の伸縮性編地１６０の踵側足底部１０６Ｈの踵下側接着線１０８ＤＨとを当接させるとともに、
・・第１の伸縮性編地１２０の側辺部１０２Ｓの側辺上側接着線１０８ＵＳと第３の伸縮性編地１６０の側辺足底部１０６Ｓの側辺下側接着線１０８ＤＳとを当接させて、
・それらの当接部分が、１本の底接着テープ１０８により接合されている。
【００２９】
すなわち、第３の伸縮性編地１６０の（全）周縁である下側接着線１０８Ｄ（より詳しくは爪先側足底部１０６Ｔの爪先下側接着線１０８ＤＴ、側辺足底部１０６Ｓの側辺下側接着線１０８ＤＳ、踵側足底部１０６Ｈの踵下側接着線１０８ＤＨ）と、第１の伸縮性編地１２０の周縁の一部である上側接着線１０８Ｕ（より詳しくは側辺部１０２Ｓの側辺上側接着線１０８ＵＳ、踵部１０２Ｈの踵上側接着線１０８ＵＨ）および第２の伸縮性編地１４０の周縁の一部である上側接着線１０８Ｕ（より詳しくは爪先部１０４Ｔの爪先上側接着線１０８ＵＴ）とを、１本の底接着テープ１０８で接合することにより、このフットカバー１００が形成されている。なお、底接着テープ１０８は２本以上に分断されていても構わない。
【００３０】
そして、このような状態では、図１および図４に示す点Ａおよび点Ｂにおいて、第１の伸縮性編地１２０と第２の伸縮性編地１４０と第３の伸縮性編地１６０とが当接している。すなわち、
・第１の伸縮性編地１２０と第２の伸縮性編地１４０とが図４の矢示Ｚ（１）方向および矢示Ｚ（２）方向に互いにそれぞれ接近させられているので、
・・第１の伸縮性編地１２０の側辺部１０２Ｓの踵側接着線１１０Ｈと、第２の伸縮性編地１４０の爪先部１０４Ｔの爪先側接着線１１０Ｔとを当接させて、
・それらの当接部分が、左右それぞれ１本ずつの合計２本の側辺接着テープ１１０により接合されている。
【００３１】
なお、このフットカバー１００においては、接着テープは肌当接面の逆側（（外側：靴側）に設けられるとともに、底接着テープ１０８の外側に側辺接着テープ１１０が貼付されているが、上述したように、接着テープは肌当接面に設けられていても構わないことに加えて、底接着テープ１０８と側辺接着テープ１１０との上下関係（どちらがより肌側）は限定されるものではない。すなわち、底接着テープ１０８および側辺接着テープ１１０については、一方が他方を覆うように設けられる部分を有することになるが、この一方および他方が限定されないことを意味する。
【００３２】
この場合において、底接着テープ１０８および側辺接着テープ１１０はその一面（編地（第１の伸縮性編地１２０、第２の伸縮性編地１４０および第３の伸縮性編地１６０）側）に接着剤が塗布されており、加熱することにより底接着テープ１０８および側辺接着テープ１１０に塗布された接着剤が溶融して編地を熱接着して接合している。また、底接着テープ１０８および側辺接着テープ１１０は、フットカバー１００の表側（足Ｆが接する側の逆側：靴側）から熱接着されて編地を接合している。しかしながら、底接着テープ１０８および側辺接着テープ１１０は、フットカバー１００の裏側（足Ｆが接する側：肌側）から熱接着されて編地を接合するようにしても構わない点は上述した通りである。このようにして、縫い目を備えないで、爪先部１０４Ｔ（爪先部１０４）、足底部１０６（より詳しくは、爪先側足底部１０６Ｔ、側辺足底部１０６Ｓおよび踵側足底部１０６Ｈ）、側辺部１０２Ｓおよび踵部１０２Ｈを備えたフットカバー１００が立体的に形成されている。
【００３３】
このように、このフットカバー１００においては、側辺部１０２Ｓおよび踵部１０２Ｈが１枚の第１の伸縮性編地１２０により、爪先部１０４Ｔが１枚の第２の伸縮性編地１４０により、足底部１０６が１枚の第３の伸縮性編地１６０により構成されるとともに、これらの３枚の第１の伸縮性編地１２０と第２の伸縮性編地１４０と第３の伸縮性編地１６０とが開口部を除いて接着テープで接合されることにより縫い目を備えないで立体的な形状に形成されているために、従来のフットカバーのように別々の生地で縫製されている場合に発生する縫い目が踵に引っ掛かって歩行時やパンプスの脱ぎ履き時にフットカバーが脱げてしまったり履き位置がずれてしまったりする問題を回避することができ、かつ、縫い目が全く存在しないので履き心地が極めて良いものとなる。
【００３４】
さらに、足底部１０６において、足Ｆが接する側と反対側（靴の一例であるパンプスを履いたときにパンプスの内底に接する側）には、シリコン樹脂等の薄いシートで形成された足底部滑り止めを設けることも好ましい。これにより、パンプスの内底との密着性を高めてパンプス内におけるフットカバー１００の位置がずれることを防止できる。なお、この足底部滑り止めも、本発明に係るフットカバーにおいて必須の構成ではない。
【００３５】
なお、このフットカバー１００において、このフットカバー１００を形成する、これらの３枚の第１の伸縮性編地１２０と第２の伸縮性編地１４０と第３の伸縮性編地１６０とが同じ共生地（ここでは同じ編糸および同じ編成の同じ種類の編地）で形成されていても構わない。すなわち、底接着テープ１０８および側辺接着テープ１１０ならびに伸縮性細幅生地１１４を除いて、このフットカバー１００は、全て同じ伸縮性編地（トリコット等）で形成されていても構わない。また、これらの３枚の第１の伸縮性編地１２０と第２の伸縮性編地１４０と第３の伸縮性編地１６０とは、その種類が２枚が同じで１枚が異なる、その種類が３枚とも異なるものであっても構わない。
【００３６】
なお、このフットカバー１００においては、上述したように第１の伸縮性編地１２０および第２の伸縮性編地１４０の平面状の編地の状態で伸縮性細幅生地１１４が開口部の上縁となる部位に設けられており、たとえば熱プレス装置により加熱することにより伸縮性細幅生地１１４に塗布された接着剤が溶融して編地と熱接着して接合されている。
以上のようにして、本実施の形態に係るフットカバー１００によると、所定の周縁形状を備えた３枚の平面状編地により構成されるとともに、縫い目を備えないで、爪先部１０４Ｔ（爪先部１０４）、足底部１０６（より詳しくは、爪先側足底部１０６Ｔ、側辺足底部１０６Ｓおよび踵側足底部１０６Ｈ）、側辺部１０２Ｓおよび踵部１０２Ｈを備えたフットカバー１００が立体的に形成されている。このため、従来のフットカバーのように別
々の編地で縫製されている場合に発生する問題である、縫い目が踵に引っ掛かって歩行時やパンプスの脱ぎ履き時にフットカバーが脱げてしまったり履き位置がずれてしまったりする問題を回避することができる。さらに、このフットカバー１００によると、縫い目が全く存在しないので履き心地が極めて良いものとなる。
【００３７】
＜変形例＞
以下において、本発明の実施の形態の変形例に係るフットカバー２００について、図５を参照して説明する。なお、上述した実施の形態に係るフットカバー１００が爪先部が側辺部（および踵部）から独立した別の伸縮性編地で構成されていたことに代えて、この変形例に係るフットカバー２００は踵部が側辺部（および爪先部）から独立した別の伸縮性編地で構成されている点が異なる（アッパーが無縫製）。それ以外の構造であって上述した実施の形態と同じ構造についての説明は、上述した説明と重複するために、ここでは繰り返して説明しない。また、基本的には、このフットカバー２００に付した符号の百位の桁を１としたものがフットカバー１００に付した符号に対応している。
【００３８】
この図５に示すように、フットカバー２００は、爪先部２０２Ｔ、足底部２０６（より詳しくは、爪先側足底部２０６Ｔ、側辺足底部２０６Ｓおよび踵側足底部２０６Ｈ）、側辺部２０２Ｓおよび踵部２０４Ｈで形成されている。なお、上述したフットカバー１００の開口部に設けられた伸縮性細幅生地１１４と同様の伸縮性細幅生地２１４をこのフットカバー２００も備える。また、上述したフットカバー１００が備えた踵部滑り止め１１６と同様の踵部滑り止め２１６をこのフットカバー２００も備える。この伸縮性細幅生地２１４は、爪先側伸縮性細幅生地と側辺伸縮性細幅生地と踵側伸縮性細幅生地とで構成され、側辺伸縮性細幅生地と爪先側伸縮性細幅生地とは一体であってこの一体の伸縮性細幅生地と踵側伸縮性細幅生地とは別体である。
【００３９】
この図５を参照して、このフットカバー１００を形成する３枚の伸縮性編地について説明する。側辺部２０２Ｓと爪先部２０２Ｔおよび踵部２０４Ｈのいずれか（このフットカバー２００においては踵部２０４Ｈではなく爪先部２０２Ｔ）とが第１の伸縮性編地２２０により構成され、第１の伸縮性編地２２０により形成されなかった爪先部２０２Ｔおよび踵部２０４Ｈのいずれか（このフットカバー２００においては爪先部２０２Ｔではなく踵部２０４Ｈ）が第２の伸縮性編地２４０により構成され、足底部２０６が第３の伸縮性編地２６０により構成されている。すなわち、側辺部２０２Ｓと爪先部２０２Ｔとが第１の伸縮性編地２２０により構成され、第１の伸縮性編地２２０により形成されなかった踵部２０４Ｈが第２の伸縮性編地２４０により構成され、足底部２０６が第３の伸縮性編地２６０により構成されている（このフットカバー２００においては踵部が側辺部から独立）。これらの第１の伸縮性編地２２０、第２の伸縮性編地２４０および第３の伸縮性編地２６０は、それぞれ、所定の周縁形状を備えた平面状編地であって、特に、足底部２０６を構成する第３の伸縮性編地２６０における所定の周縁形状は、フットカバー１００と同様に、概略的には足裏形状に略等しい。
【００４０】
そして、上述したフットカバー１００が備えた底接着テープ１０８と同様の底接着テープ２０８をこのフットカバー２００は備える。そして、フットカバー１００が備えた側辺接着テープ１１０に代えて側辺接着テープ２１０をこのフットカバー２００は備える。
上述したフットカバー１００と同様にして、第３の伸縮性編地２６０の全周縁は、１本の底接着テープ２０８で、第１の伸縮性編地２２０および第２の伸縮性編地２４０と接合されている。第１の伸縮性編地２２０と第２の伸縮性編地２４０とは（フットカバー１００とその位置が異なるものの）左右１本ずつの合計２本の側辺接着テープ２１０で互いに接合されている。
【００４１】
このように、この変形例に係るフットカバー２００においては、踵部が側辺部（および爪先部）から独立した別の伸縮性編地で構成されている点が上述したフットカバー１００と異なるものの、所定の周縁形状を備えた３枚の平面状編地により構成されるとともに、縫い目を備えないで、爪先部２０２Ｔ、足底部２０６（より詳しくは、爪先側足底部２０６Ｔ、側辺足底部２０６Ｓおよび踵側足底部２０６Ｈ）、側辺部２０２Ｓおよび踵部２０４Ｈ（単に踵部２０４と記載する場合がある）を備えたフットカバー２００が立体的に形
成されている。このため、従来のフットカバーのように別々の編地で縫製されている場合に発生する問題である、縫い目が踵に引っ掛かって歩行時やパンプスの脱ぎ履き時にフットカバーが脱げてしまったり履き位置がずれてしまったりする問題を回避することができる。さらに、このフットカバー２００によると、縫い目が全く存在しないので履き心地が極めて良いものとなる。
【００４２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４３】
本発明は、素足で履くフットカバーに好適であり、縫い目があるために歩行時やパンプスの脱ぎ履き時にフットカバーが脱げてしまったり履き位置がずれてしまったりすることがないように、かつ、縫い目があるために履きにくかったり履き心地が悪かったりすることがない点で特に好ましい。
【符号の説明】
【００４４】
１００  フットカバー
１０２Ｈ  踵部
１０２Ｓ  側辺部
１０４（１０４Ｔ）  爪先部
１０６  足底部
１０６Ｈ  踵側足底部
１０６Ｓ  側辺足底部
１０６Ｔ  爪先側足底部
１０８  底接着テープ
１０８Ｄ  下側接着線
１０８ＤＨ  踵下側接着線
１０８ＤＳ  側辺下側接着線
１０８ＤＴ  爪先下側接着線
１０８Ｕ  上側接着線
１０８ＵＨ  踵上側接着線
１０８ＵＳ  側辺上側接着線
１０８ＵＴ  爪先上側接着線
１１０  側辺接着テープ
１１０Ｈ  踵側接着線
１１０Ｔ  爪先側接着線
１１４  伸縮性細幅生地
１１４Ｈ  踵側伸縮性細幅生地
１１４Ｓ  側辺伸縮性細幅生地
１１４Ｔ  爪先側伸縮性細幅生地
１２０  第１の伸縮性編地
１４０  第２の伸縮性編地
１６０  第３の伸縮性編地
２００  （変形例に係る）フットカバー
Ｆ  足
【図１】
2020172712.tif 000003
【図２】
2020172712.tif 000004
【図３】
2020172712.tif 000005
【図４】
2020172712.tif 000006
【図５】
2020172712.tif 000007